【手続補正書】
【提出日】平成17年3月3日(2005.3.3)
【手続補正１】
【補正対象書類名】明細書
【補正対象項目名】発明の名称
【補正方法】変更
【補正の内容】
【発明の名称】熱交換器用コネクタ及びこれを用いた熱交換器
【手続補正２】
【補正対象書類名】明細書
【補正対象項目名】特許請求の範囲
【補正方法】変更
【補正の内容】
【特許請求の範囲】
【請求項１】
媒体の熱交換を行う熱交換器のタンクと該熱交換器に用いられる気液分離器とを接続する熱交換器用コネクタにおいて、
前記媒体を前記タンクから前記気液分離器へ流通する第１流路と、
前記媒体を前記気液分離器から前記タンクへ流通する第２流路と、
前記タンクの外面にろう付けされる着座面と、
前記第１流路の入口端部を前記タンクの内部にもたらす第１パイプ部と、
前記第２流路の出口端部を前記タンクの内部にもたらす第２パイプ部と、を備えたコネクタであって、
更に、前記コネクタの一断面における内部構造において、前記第１流路及び前記第２流路が、ぞれぞれ入口端部から出口端部まで連続するように設けられていることを特徴とする熱交換器用コネクタ。
【請求項２】
前記請求項１記載のコネクタを用いた熱交換器であって、前記コネクタの前記着座面には、該着座面を拡張するフランジ部を備え、前記フランジ部を備えた前記着座面が前記タンクにろう付けされることを特徴とする熱交換器。
【請求項３】
前記請求項２記載のコネクタを用いた熱交換器において、
前記コネクタには気液分離器が接続され、
前記気液分離器は、前記第１流路の出口端部を接続する流入部と、前記第２流路の入口端部を接続する流出部とを備え、
前記タンクは、前記コネクタの前記第１流路と前記第２流路に各々別に連通して、前記媒体を前記コネクタに導出入させる第１流路用孔部と第２流路用孔部とを設け、
前記第１流路用孔部と第２流路用孔部との間には仕切部材が配置されていることを特徴とする熱交換器。
【手続補正３】
【補正対象書類名】明細書
【補正対象項目名】０００６
【補正方法】変更
【補正の内容】
【０００６】
本発明は、このような事情に鑑みてなされたものであり、合理的に構成したコネクタと、これを用いた熱交換器を提供することを目的としている。
【手続補正４】
【補正対象書類名】明細書
【補正対象項目名】０００７
【補正方法】変更
【補正の内容】
【０００７】
【課題を解決するための手段】
本願第１請求項に記載した発明は、媒体の熱交換を行う熱交換器のタンクと該熱交換器に用いられる気液分離器とを接続する熱交換器用コネクタにおいて、前記媒体を前記タンクから前記気液分離器へ流通する第１流路と、前記媒体を前記気液分離器から前記タンクへ流通する第２流路と、前記タンクの外面にろう付けされる着座面と、前記第１流路の入口端部を前記タンクの内部にもたらす第１パイプ部と、前記第２流路の出口端部を前記タンクの内部にもたらす第２パイプ部と、を備えたコネクタであって、更に、前記コネクタの一断面における内部構造において、前記第１流路及び前記第２流路が、ぞれぞれ入口端部から出口端部まで連続するように設けられている熱交換器用コネクタであり、これにより、コネクタが合理的に構成される。
【手続補正５】
【補正対象書類名】明細書
【補正対象項目名】０００８
【補正方法】変更
【補正の内容】
【０００８】
つまり、本請求項のコネクタは、着座面をタンクの外面にろう付けすることにより、タンクに対する支持強度を十分に確保し、且つ、タンクの外面にろう付けされる着座面に第１パイプ部及び第２パイプ部を設けることにより、タンクとの密閉性を確実に確保したものである。
【手続補正６】
【補正対象書類名】明細書
【補正対象項目名】００１２
【補正方法】変更
【補正の内容】
【００１２】
本願第２請求項に記載した発明は、前記請求項１記載のコネクタを用いた熱交換器であって、前記コネクタの前記着座面には、該着座面を拡張するフランジ部を備え、前記フランジ部を備えた前記着座面が前記タンクにろう付けされる構成の熱交換器である。
【手続補正７】
【補正対象書類名】明細書
【補正対象項目名】００１３
【補正方法】変更
【補正の内容】
【００１３】
つまり、本請求項の熱交換器は、請求項１のコネクタを用いることにより、タンクにコネクタを介して取付ける、例えば気液分離器の、支持強度を十分に確保することができるものである。
【手続補正８】
【補正対象書類名】明細書
【補正対象項目名】００１５
【補正方法】変更
【補正の内容】
【００１５】
本願第３請求項に記載した発明は、前記請求項２記載のコネクタを用いた熱交換器において、前記コネクタには気液分離器が接続され、前記気液分離器は、前記第１流路の出口端部を接続する流入部と、前記第２流路の入口端部を接続する流出部とを備え、前記タンクは、前記コネクタの前記第１流路と前記第２流路に各々別に連通して、前記媒体を前記コネクタに導出入させる第１流路用孔部と第２流路用孔部とを設け、前記第１流路用孔部と第２流路用孔部との間には仕切部材が配置されている構成の熱交換器である。
【手続補正９】
【補正対象書類名】明細書
【補正対象項目名】００１６
【補正方法】変更
【補正の内容】
【００１６】
本請求項の熱交換器は、コネクタを介して気液分離器が接続され、そして、コネクタは請求項１のものが用いられるので、タンクに該コネクタを介して取付ける気液分離器の支持強度を十分に確保することができる。
【手続補正１０】
【補正対象書類名】明細書
【補正対象項目名】００４６
【補正方法】変更
【補正の内容】
【００４６】
【発明の効果】
本願第１請求項に記載した発明は、媒体の熱交換を行う熱交換器のタンクと該熱交換器に用いられる気液分離器とを接続する熱交換器用コネクタにおいて、前記媒体を前記タンクから前記気液分離器へ流通する第１流路と、前記媒体を前記気液分離器から前記タンクへ流通する第２流路と、前記タンクの外面にろう付けされる着座面と、前記第１流路の入口端部を前記タンクの内部にもたらす第１パイプ部と、前記第２流路の出口端部を前記タンクの内部にもたらす第２パイプ部と、を備えたコネクタであって、更に、前記コネクタの一断面における内部構造において、前記第１流路及び前記第２流路が、ぞれぞれ入口端部から出口端部まで連続するように設けられている熱交換器用コネクタであり、これにより、コネクタが合理的に構成される。つまり、本請求項のコネクタは、着座面をタンクの外面にろう付けすることにより、タンクに対する支持強度を十分に確保し、且つ、タンクの外面にろう付けされる着座面に第１パイプ部及び第２パイプ部を設けることにより、タンクとの密閉性を確実に確保したものである。
【手続補正１１】
【補正対象書類名】明細書
【補正対象項目名】００４７
【補正方法】変更
【補正の内容】
【００４７】
本願第２請求項に記載した発明は、前記請求項１記載のコネクタを用いた熱交換器であって、前記コネクタの前記着座面には、該着座面を拡張するフランジ部を備え、前記フランジ部を備えた前記着座面が前記タンクにろう付けされる構成の熱交換器である。このように、本請求項の熱交換器は、請求項１のコネクタを用いることにより、タンクにコネクタを介して取付ける、例えば気液分離器の、支持強度を十分に確保することができるものである。
【手続補正１２】
【補正対象書類名】明細書
【補正対象項目名】００４８
【補正方法】変更
【補正の内容】
【００４８】
本願第３請求項に記載した発明は、前記請求項２記載のコネクタを用いた熱交換器において、前記コネクタには気液分離器が接続され、前記気液分離器は、前記第１流路の出口端部を接続する流入部と、前記第２流路の入口端部を接続する流出部とを備え、前記タンクは、前記コネクタの前記第１流路と前記第２流路に各々別に連通して、前記媒体を前記コネクタに導出入させる第１流路用孔部と第２流路用孔部とを設け、前記第１流路用孔部と第２流路用孔部との間には仕切部材が配置されている構成の熱交換器である。このように、本請求項の熱交換器は、コネクタを介して気液分離器が接続され、そして、コネクタは請求項１のものが用いられるので、タンクに該コネクタを介して取付ける気液分離器の支持強度を十分に確保することができるものである。